(57)【要約】【課題】段ボール箱の側面に、チラシや伝票などの紙片を留め付けるために、ピンを刺し込んで留め付ける留め具を得ること。【解決手段】基本的な形状として、本体から張り出すピンの付け根に折り曲りをもつものとした。尚、ピンに係る形態から次の３通りのものとした。（１）本体が、ピンの付け根の折り曲る外角に出っ張り、ピンを正面から見た状態に於いて、横に平らかなエッジをもつものとした。（２）本体が、ピンの手前側にピンと添い合う形状をもつものとした。（３）本体が、ピンの針先からやや内に入った位置に押え付く形状をもつものとした。【選択図】          図１
2005016699.tif 000002
【特許請求の範囲】
【請求項１】
本体から張り出すピンの付け根に、折り曲りをもつ留め具。
【請求項２】
本体が、付け根で折り曲るピンの外角に出っ張り、ピンを正面から縦に見た状態に於て、横に平らかなエッジをもつ、請求項１記載の留め具（図１）。
【請求項３】
本体が、ピンに添い合う形状をもつ、請求項１記載の留め具（図３〜９）。
【請求項４】
本体の手前側に挟み留め（８ｎ、９ｎ）をもつ、請求項３記載の留め具（図７〜９）。
【請求項５】
本体が湾曲し、ピンの先端からやや内に入った位置に押え付く形状をもつ、請求項１記載の留め具（図１０〜１３）。
【発明の詳細な説明】
【０００１】
【発明の属する技術分野】
段ボール箱の側面に、チラシや伝票などの紙片を留め付けるために、ピンを刺し込んで留め付ける留め具についてのものである。
【０００２】
【従来の技術】
従来使われているピンや画鋲は、本体、あるいは取っ手の正面から直角に突き出した針をもつもので、一定の厚みをもつ箇所に突き刺して留め付けることはできるが、段ボール板のようにその内部に中空をもつものに、裏面に突き抜けない形で留め付けることはできない。その他には、刺し込むピンの側と、それを受け込む側とを別々にもって、セットで使用するもので、受け込み側の底部に磁石を付け合わせておき、冷蔵庫の扉などに取り付けて使用するもの（実開平６−６３３６０）などがあるが、段ボール箱の側面に留め付けるピンとして使用できるものはない。
【０００３】
【発明が解決しようとする課題】
（イ）段ボール箱の側面に、チラシや伝票などの紙片を留め付けるために、ピンを刺し込んで留め付ける留め具を得ること。
（ロ）ピンを刺したとき、刺し込み過ぎて、箱の中の商品を損傷させることがないこと。即ち、箱の内側に針先を突き出さない形で留め付くこと。
（ハ）しっかり安定した状態に留め付くことができること。
（ニ）取り扱いがしやすく、便利に使用できること。
【０００４】
【課題を解決するための手段】
基本的な形状として、本体の端部、あるいは側部から張り出すピンの付け根に、折り曲りをもつものとした。本体から張り出すピンを、段ボール箱の側面からその内部に跨ぎ込むかたちで留め付けるためである。本体は取っ手としても使用する。尚、ピンと係わる本体の形態として次の３通りのものとした。
【０００５】
その１、図１に示すものである。本体が、付け根で折り曲るピンの外角に出っ張り、ピンを正面から縦に見た状態で、横に平らかなエッジ（ｅｄｇｅ）をもつものである。以下、その出っ張りを押え込みエッジ（１ｎ、２ｎ）と云う。留め付けに於いては、針先が段ボール箱の内部に突き出ないように注意が必要であるが、取っ手とする本体を板状のものにして３本指で使用すると、僅かな手加減で留め付けることができる。この留め具の場合は、ピンを適度な長さにもつことが大切である。短かすぎると針先が段ボールの内面で浮いてしまい外れ易いものになる。
【０００６】
この留め具は、段ボール箱の側面から斜め下に向けて突き込んだとき、押え込みエッジ（２ｎ）が段ボール箱の側面にあたり、ピンを突き込んだ刺し込み孔を支点にして突き込んだピンに、仰け反る力が働き、その力がピンの先端部に伝播して、ピンの先端側部が段ボール内面の奥側表紙の内側に突っ張るものとなる。ピンの頭部が後に仰け反る力（２ｊ）と、ピンの先端側部が前に突っ張る力（２ｋ）とが、ピンを支える刺し込み孔（２ｉ）を支点にして、バランスして留め付くものとした留め具である。
【０００７】
ピンは段ボール箱の側面斜め上から下に向けて刺し込み、更に段ボール内面の中空の穴筋に沿って突き込ことから、ピンの付け根は、段ボール側面からその内部に跨ぎ込む、即ち、付け根部分に跨ぎ込みの形として折り曲りをもつものとしている。ピンを取り外すとき斜め下に向けて刺し込んだピンは、斜め上に向けて抜き取るものになるが、このとき斜め下に向けて、跨ぎ込んでピンがその付け根までしっかり入ってしまっていると、ピン自体の付け根上面が引っ掛かって抜き取りしにくくなるので、ピンは斜め上から突っ掛け状態で留め付くものにすると良い。押え込みエッジ（１ｎ）はその枕として働くものである。
【０００８】
尚、ピンは付け根に曲りをもたせることから、そこを支点にしてピンの頭部が左右に振れ動くものになる。これを抑えるのも押え込みエッジの役割である。そのために押え込みエッジは横幅をもつものとした。この留め具は押え込みエッジが段ボール箱の側面にピッタリ押え付いた状態で安定した留め付きを得ることができるものである。
【０００９】
その２、図３、４、５、６、７、８、９に示すものである。本体がピンの手前側にピンと添い合う形状（３ａ、４ａ、５ａ、６ａ、７ａ、８ａ、９ａ）をもつものである。以下、その形状を抑えと云う。抑えはピンを刺し込むとき針先が段ボール箱の内側に突き抜けることのないよう抑える役目をする。抑えはピンが段ボール内面の中空の穴筋に沿って突き込まれるよう抑えの役目をする。抑えは段ボール内面に突き込まれたピンとともに段ボールの表紙に裏と表から抑え合う役目をする。この留め具は２つの使い道のものとした。１つは図３、４、５、６に示すもので、紙片を段ボール箱の側面に直に刺し留めるもの。もう１つは図７、８、９に示すもので、抑えの手前側に挟み留めをもち、ピン側は留め具自体が留め付くためのものとし、紙片は挟み留めをもって挟持するものである。
【００１０】
その３、図１０、１１、１２、１３に示すものである。本体が湾曲し、ピンの針先からやや内に入った位置に押え付く形状（１０ａ、１１ａ、１２ａ、１３ａ）をもつものである。以下、その形状を押えと云う。押えはピンを突き込む際に針先が段ボール箱の内部に突き出ないよう抑える役目をする。押えは湾曲して折り曲り、押え付くためのバネを生むとともに、その折り曲りを耳状（図１０、１１、１２、１３）にするなどして、取っ手ともする。押えは段ボールの内面に突き込まれたピンとともに、段ボールの表側の表紙に裏と表から挟み合う押えの役目をする。
【００１１】
この留め具は２通りの使い方ができる。１つは紙片を段ボール箱の側面に直に刺し留める使い方である。もう１つは、ピン側は留め具自体が取り付くためのものとして使用し、留め付けた留め具の手前側に紙片を挟み込んで挟持する使い方である。
【００１２】
【発明の実施の形態】
この発明は、段ボール箱の側面に紙片を留め付けるために、ピンを突き込んで留め付ける留め具である。段ボール箱を形成する段ボール板は、一般的には内面の空洞が縦穴になる形で使用される。その縦穴にピンを側面の斜め上から突き込み、その内面を用いて留め付くものである。発明の実施の形態を実施例に基づき、図面を参照して説明する。
【００１３】
図１は、本体から斜めにピンが突き出しているものである。図２は、図１の留め具を段ボール箱の側面に留め付けた状態を示すものである。ピンを斜め下向きにして突き込み、突き止まった状態が留め付いた状態になる。この留め具を使用するに於いて注意することは、突き込みに於いて、針先が段ボール奥側の表紙を突き出さないように手加減することである。
【００１４】
留め具を作る上では、図２に見るように、留め付けた状態でピンの付け根に僅かな空間が残る程度のゆとりを残して、本体の角に出っ張る押え込みエッジ（２ｎ）が、段ボール箱の表面に押え付いた状態になるようにすると良い。このことはピンの付け根の折り曲り具合、ピンの長さの程度、押え込みエッジの出っ張りの程度など総合的な絡み合いで定まることである。更には対象とする段ボール箱の段ボール板の厚みとも係わってくる。因みに、ピンの長さは余り短くしないことである。短いと針先の尖りが災いして段ボール奥側の表紙を突き破ってしまったり、またピンが段ボール内部の空間で遊んでしまったりする。先端が針の如く尖ったピンでなければならないのは、留め付ける最初の手順に於いて、針先を段ボール表面に刺し込む時だけのことである。留め付けた段階ではピンの先端側部が内面に当て付いている状態が良い。そのために一定の長さをもつものが良い。
【００１５】
また、ピンはその付け根に折り曲りをもつことから、折り曲り部分が軸となり、刺し込み孔が軸受けとなって、本体（１ａ、２ａ）が左右に振れて安定することができない。それを抑えるのも押え込みエッジである。押え込みエッジが段ボール箱の側面に押え付いたとき、横振れがしないものとなる。実施例ではピンの太さ１ミリ。ピンの長さ２５ミリ、本体の横幅１３ミリ、即ち、押え込みエッジの横幅１３ミリ、厚み５ミリその中間をピンの付け根とし、その折り曲りは図２に示した如くなだらかな曲りをもつものとした。
【００１６】
図３、４、５、６、７、８、９は、本体がピンと添い合う形状をもつものである。以下、その形状を抑えと云う。図３はピンの先端が抑えの先端よりやや突き出したものである。突き出る長さは３〜４ミリ程度が良い。段ボール箱への留め付けは、まず留め付ける紙片を当て付け、その上から画鋲を刺すようにピンを横にして、真っ正面から突き刺す。ピンは抑えの先端から突き出ている部分だけが突き刺さるので、針先が段ボール箱の内側に突き抜けることはない。次にピンを立てて押し下げる形で突き込み、留め付けが完了する。
【００１７】
図４は、ピンの先端を抑えの先端に近い位置で、やや外側に向けて反りをもたせたものである。段ボール箱へ留め付けるとき、段ボール箱の側面に針先を押し当て、まず擦り押し下げ加減に押し下げて留め付ける。針先は反りを大きくすると刺し込みやすいが、針先が段ボール内面に突っ掛ってしまうので、斜め上から押し下げ気味にして、刺さり得る最少の反りにとどめておくのが良い。尚、擦り押し、あるいは押し下げに際し、押し付ける力が効果的に働くよう、ピンの反り返り際が、抑えの面にしっかりと押え付いている状態のものにしておくと良い。
【００１８】
以下、図５、６、７、８、９のピンと抑え、そしてその関係は図３、４の場合と同様である。図５、６は同じものを裏と表から見たものである。尚、抑えとピンとの関係は基本的なことであるが、その関係に支障のない限り、本体を変形してもつことは任意である。図３は取っ手を抑えの上方にもつものとした例である。図６は取っ手を抑えの手前側にもつものとした例である。これにより図３ではピンが本体の側部から張り出したものに、そして図６ではピンが本体の端部から張り出したものになる。基本的なことは何ら変わるものでないが、構成の仕方で大きくイメージの異なったものにすることができる。
【００１９】
図７、８は同じものを裏と表から見たものである。図８は抑えの手前側に湾曲する筋バネを挟み留め（８ｎ）としてもつものである。図９はバネクリップを挟み留めとしてもつものである。このように抑えとピンとの関係は、基本的なこととして、その関係に支障のない限り異なった形態の挟み留めをもつことができる。そして、図８では、ピンが本体の端部から張り出したものに、図９では、ピンが本体の側部から張り出したものになる。図３、４、５、６の場合は紙片を段ボールの側面に直接に留め付ける留め具であるのに対し、図７、８、９の場合はピンは留め具自身が据え付くためのもので、紙片は挟み留めをもって挟持されるものとした留め具である。
【００２０】
図９は発明の趣旨からすれば図８と同じくピンの手前に抑えをもつ。更にその手前に挟み留めをもつということであるが、実態を平たく云うなら、バネクリップの片方の外側の平らかな面を抑え（９ｎ）として使用し、その側面にピンをもつものとしたものである。そしてバネクリップ全体を本体とし、取っ手とするものである。因みに図７、８の挟み留めは挟み入れ口が上に向き、紙片の下端を挟持するもの。図９の挟み留めは挟み入れ口が下に向き、紙片の上端を挟み留めるものである。尚、この発明では挟み留めの形状や形態を特定するものではなく、挟み留めを構成として加えた実施例である。
【００２１】
図１０、１１、１２、１３は、本体が湾曲し、ピンの先端からやや内に入った位置に押え付く形状をもつものである。以下、その形状を押さえと云う。押さえは、段ボール箱の表側の表紙に突き込んだピンとともに、表と裏から、あるいは外と内から挟み付くものである。図１０、１１は板を折り曲げた形状の押えをもつものである。図１２は棒を折り曲げた形状の押えをもつものである。図１３はワイヤーを折り曲げて作るものとした留め具で、本体とピンの境目に、ピンが留め針であるための頭（１３ｒ）を付けたものである。実施例ではそれぞれピンの太さを１ミリ、長さを２０ミリのものとした。図１０、１１、１２、１３で示す本体は、耳状の折り曲りをもつ取っ手であるとともに、その折り曲りをバネとして押え付く押えでもある。尚、図１０、１１、１２、１３は、基本的な形状を同じくした上で、本体を変形してもつこともできる例として示したものである。
【００２２】
尚、図１０、１２は内に曲り込む曲りで押え付く押えをもつものである。内に曲り込む曲りは、湾曲を大きくもつことになるのでバネの許容を大きくもつことができる。図１１、１３は外に反り曲る曲りで押え付く押えをもつものである。外に反り曲る曲りは、取っ手とする形状をつくる任意性を大きくもつ。尚、図１１は針先をやや内側に向けて反りをもたせたものである。その作り方、使い方の要領は図４の場合と同様である。図１０、１１、１２、１３はそれぞれピンと本体との境目がはっきりしており、ピンが必要以上に突き込まれることがないので、段ボール箱の内側に針先が突き出ることもなく、また、押えによって段ボール内部の穴洞に沿ってピンを突き込むことができる。
【００２３】
【発明の効果】
糊を用いて貼り付ける、セロハンテープで留め付けるなどと比べ、段ボール箱の張り付け面を汚すことがないし、張り付け箇所の表面を破き剥がすこともない。チラシなど広告紙片の留め付け、配送時の整理伝票の留め付けなど、広く利用できるものである。張り付け、張り替えが任意に行える。手軽で簡単な作業で付け外しができるなど格段の良さと便利さがある。
【図面の簡単な説明】
【図１】本発明の１つである留め具の斜視図である。
【図２】図１の留め具が留め付いた状態を説明する図である。
【図３】本発明の１つである留め具の斜視図である。
【図４】本発明の１つである留め具の斜視図である。
【図５】本発明の１つである留め具を裏側から見た斜視図である。
【図６】図５の留め具を表側から見た斜視図である。
【図７】本発明の１つである留め具を裏側から見た斜視図である。
【図８】図７の留め具を表側から見た斜視図である。
【図９】本発明の１つである留め具の斜視図である。
【図１０】本発明の１つである留め具の斜視図である。
【図１１】本発明の１つである留め具の斜視図である。
【図１２】本発明の１つである留め具の斜視図である。
【図１３】本発明の１つである留め具の斜視図である。
【符号の説明】
１ａ、２ａ  本体
１ｂ、２ｂ  ピン
１ｎ、２ｎ  エッジ（押え込みエッジ）
２ｉ  支点（刺し込み孔）
２ｊ  仰け反る力
２ｋ  突っ張る力
３ａ、４ａ、５ａ、６ａ、７ａ、８ａ、９ａ  本体（抑え）
３ｂ、４ｂ、５ｂ、６ｂ、７ｂ、８ｂ、９ｂ  ピン
３ｃ、４ｃ、５ｃ、６ｃ  取っ手
８ｎ、９ｎ  挟み留め
１０ａ、１１ａ、１２ａ、１３ａ  本体（押え）
１０ｂ、１１ｂ、１２ｂ、１３ｂ  ピン
１３ｒ  ピンの頭
【図１】
2005016699.tif 000003
【図２】
2005016699.tif 000004
【図３】
2005016699.tif 000005
【図４】
2005016699.tif 000006
【図５】
2005016699.tif 000007
【図６】
2005016699.tif 000008
【図７】
2005016699.tif 000009
【図８】
2005016699.tif 000010
【図９】
2005016699.tif 000011
【図１０】
2005016699.tif 000012
【図１１】
2005016699.tif 000013
【図１２】
2005016699.tif 000014
【図１３】
2005016699.tif 000015